(57)【特許請求の範囲】
【請求項１】
表ネット（４ａ）と裏ネット（４ｂ）とにより、横方向に細長い袋状の収容部（４）を上下方向に多数形成してなる植生用ネットを設け、前記収容部（４）を形成する表ネット（４ａ）と裏ネット（４ｂ）とのうち、表ネット（４ａ）の下部の網目及び裏ネット（４ｂ）の全面の網目の大きさを、植生材料に植生基を混入した客土（７ｂ）が漏洩し難い網目とし、前記表ネット（４ａ）の上部に前記表ネット（４ａ）の下部の網目及び裏ネットの網目よりも大きな網目からなる窓部（４ｃ）を形成したことを特徴とする植生用ネット。
【請求項２】
収容部（４）の表ネット（４ａ）及び裏ネット（４ｂ）を編成するたて糸（２）及びよこ糸（３）のうち、たて糸（２）は５ｍｍ以上のピッチとし、よこ糸（３）は、表ネット（４ａ）の下部及び裏ネット（４ｂ）全面のよこ糸（３）のピッチを４ｍｍ以下のピッチとし、前記表ネット（４ａ）の上部のよこ糸（３）のピッチを５ｍｍ以上のピッチとしたことを特徴とする請求項１記載の植生用ネット。
【請求項３】
上下方向に隣接する収容部（４）間に、主としてたて糸（２）によって形成される櫛歯状の連結部（６）を形成し、該連結部（６）によって各収容部（４）の上下方向の間隔を所定値に設定したことを特徴とする請求項２記載の植生用ネット。
【発明の詳細な説明】
【０００１】
【発明の属する技術分野】
本発明は、傾斜した法面に設置する植生用ネットに関し、特に表ネットと裏ネットとにより横方向に細長い袋状の収容部を縦方向に多数形成し、この収容部で植生材料を捕捉する植生用ネットに関するものである。
【０００２】
【従来の技術】
従来の技術として、一目の開口面積が８ｍｍ２  〜２０ｍｍ２  程度の網目を有する表ネットと裏ネットとにより、横方向に細長い袋状の収容部を縦方向に多数形成してなる植生用ネットを形成し、また、上記収容部に嵌合する細長いシート製の客土袋を形成するとともに、該客土袋の円周方向の一部の面を長手方向全長に亘って経時分解可能な可分解資材により形成し、この客土袋に客土を収容して客土体を形成する。そして、上記客土体を、その可分解資材が設置時に上向きになる如く位置決めして上記植生用ネットの収容部に嵌合させるものがあった。
【０００３】
【発明が解決しようとする課題】
上記従来のものは、植生用ネットの収容部に客土体を位置決めして嵌合させるため、この嵌合作業に手数を要する。また、収容部に嵌合した客土体の向きは、法面の傾斜角度あるいは敷設作業等によって変化し易く、この状態で客土体の可分解資材が経時によって分解すると、客土が不容易に外部に漏洩し、緑化が不均一になる等の不具合があった。本発明は、植生用ネットの収容部の縦方向の一側面部に大きな開口面積を有する網目部を設けることにより、上記不具合を解消するようにしたものである。
【０００４】
【課題を解決するための手段】
本発明は、上記欠点を解消するために以下の如く構成したものである。即ち、請求項１に係る発明は、表ネットと裏ネットとにより、横方向に細長い袋状の収容部を上下方向に多数形成してなる植生用ネットを設け、前記収容部を形成する表ネットと裏ネットとのうち、表ネットの下部の網目及び裏ネットの全面の網目の大きさを、植生材料に植生基を混入した客土が漏洩し難い網目とし、前記表ネットの上部に前記表ネットの下部の網目及び裏ネットの網目よりも大きな網目からなる窓部を形成したものである。
また、請求項２に係る発明は、収容部の表ネット及び裏ネットを編成するたて糸及びよこ糸のうち、たて糸は５ｍｍ以上のピッチとし、よこ糸は、表ネットの下部及び裏ネット全面のよこ糸のピッチを４ｍｍ以下のピッチとし、前記表ネットの上部のよこ糸のピッチを５ｍｍ以上のピッチとしたものである。
また、請求項３に係る発明は、上下方向に隣接する収容部間に、主としてたて糸によって形成される櫛歯状の連結部を形成し、該連結部によって各収容部の上下方向の間隔を所定値に設定する構成にしたものである。
【０００５】
【発明の実施の形態】
以下本発明の実施例を図面に基いて説明する。図１は本発明による植生用ネットの部分正面図、図２は図１のＩＩ−ＩＩ  線による要部拡大断面図、図３は使用状態を示す要部拡大断面図である。
【０００６】
図１〜図２において、１は植生用ネットであり、たて糸２とよこ糸３とをラッセル織りして横幅（左右幅）Ｗが約１．０５ｍ、縦幅Ｌ（上下長さ）が約１０ｍとなる帯び状に編成され、表ネット４ａ及び裏ネット４ｂの二重織り部により形成される収容部４と、主として各たて糸２によって形成される櫛歯状の連結部６とを縦（図１において上下）方向に交互に有する。
【０００７】
上記収容部４は、後述する客土体７が収容されるもので、縦（上下）幅Ｔ１を約１３ｃｍとして上記植生用ネット１の全幅に亘って延長形成され、左端を縫着して閉塞し、右端は外部に開口させてこの部を客土体７の差込み口５とする。また上記連結部６の縦幅Ｔ２は約８ｃｍ〜３０ｃｍとなるように形成されている。
【０００８】
上記植生用ネット１を構成するたて糸２及びよこ糸３のうち、各たて糸２の横（図１において左右）方向のピッチＰ１は、植物の出芽を阻害しないピッチ、例えば５ｍｍ以上、好ましくは８ｍｍ〜２０ｍｍで配列し、収容部４の各たて糸２は表裏方向に分離した表面たて糸２ａと裏面たて糸２ｂとを互いに表裏方向に対向させ、連結部６の各たて糸２は上記表面たて糸２ａと裏面たて糸２ｂとを互いに編成して線状とする。
【０００９】
また、よこ糸３は図２に示すようになっている。即ち、収容部４の表面側をなす表ネット４ａのよこ糸３ａは上側の約半部を上記たて糸２のピッチＰ１よりも若干大きいピッチで配列し、下半部を上記客土が漏洩し難いピッチ、例えば４ｍｍ以下、好ましくは２ｍｍ以下で配列して各表面たて糸２ａに網付ける。また、背面側をなす裏ネット４ｂのよこ糸３ｂは全面に亘って上記客土が漏洩し難いピッチ、例えば４ｍｍ以下、好ましくは２ｍｍ以下で配列して上記各裏面たて糸２ｂに網付ける。これにより、各収容部４の表面側の上部に植物の出芽を阻害しない開口面積を有する窓部４ｃを形成する。
【００１０】
そして、図３に示すように、上記各収容部４にその差込み口５から客土体７を収容し、植生用ネット１を、その収容部４の窓部４ｃが上側となるように向けて傾斜した法面８に設置する。上記客土体７は、経時分解可能な紙材あるいは水溶性のシート等により細長い筒状の客土袋７ａを形成し、この客土袋７ａ内に肥料、土壌等を混ぜ合わせた植生材料に植生基を混入した人口の客土７ｂを充填してなる。なお、上記差込み口５は客土体７を収容した後、縫着して閉塞する。
【００１１】
上記実施例によれば、収容部４の表ネット４ａの上部（縦方向の一側面部）に大きな網目の窓部４ｃが形成されているので、植生用ネット１を所定方向に向けて傾斜した法面８に設置すれば、収容部４の窓部４ｃが法面８の凹凸等に左右されることなく一義的に上側に向くことになる。このため、客土体７の客土袋７ａは、その全面を経時分解可能な安価な単一資材により形成し、これを方向性を考慮することなく収容部４に収容しても、客土袋７ａが経時分解した際に、内部の客土７ｂが収容部４から無秩序に外部に漏洩しなくなるとともに、一部の客土７ｂを上記窓部４ｃから規則性を持って外部に漏洩させ、各収容部４間、つまり連結部６からも植物を発芽させることができる。しかも、客土体７内で発芽した植物の芽（ア）は、上記位置決めされた窓部４ｃから容易に外部に出ることになり、植物が略均等に生育することになる。
【００１２】
【発明の効果】
以上の説明から明らかな如く、本発明は、収容部を形成する表ネットの縦方向の一側面部に大きな網目からなる窓部を形成したので、この窓部は法面の凹凸部等に左右されることなく所定方向に位置決めされ、植物が定められた位置から円滑に生育することになる。また上記収容部に収容する客土体の客土袋を特殊な構造にする必要がなく、客土体を安価に得ることができるとともに、客土体の向きを配慮することなく収容部に収容できるので、これの収容作業が容易になる。等の効果を奏する。
【図面の簡単な説明】
【図１】本発明による植生用ネットの部分正面図である。
【図２】図１のＩＩ−ＩＩ  線による要部拡大断面図である。
【図３】使用状態を示す要部拡大断面図である。
【符号の説明】
１    植生用ネット
２    たて糸
３    よこ糸
４    収容部
４ａ  表ネット
４ｂ  裏ネット
４ｃ  窓部
５    差込み口
６    連結部
７    客土体
７ａ  客土袋
７ｂ  客土
８    法面
【図１】
0003590717.tif 000002
【図２】
0003590717.tif 000003
【図３】
0003590717.tif 000004